(57)【特許請求の範囲】
【請求項１】
シートパッド材の表面にシート表面の状態を検出するセンサーを配置してその
センサーに接続するハーネスを、シートパッド材の、プレートで被われた背面側に通すシート装置において、
前記シートパッド材には、前記プレートで被われた位置に設けられて前記シートパッド材の表面側から背面側に貫通する貫通孔と、この貫通孔に連続し前記プレートで被われた位置でシートパッド材の背面に沿ってハーネスを保持可能とする前記シートパッド材の背面に設けられた配置部とを有し、前記センサーに接続されたハーネスを、前記貫通孔から、前記プレートに接触させることなく前記配置部によって保持したことを特徴とするシート装置。
【請求項２】
前記配置部が、前記貫通孔と連続し前記シートパッド材の背面に沿って設けた窪み部である請求項１記載のシート装置。
【請求項３】
前記窪み部が、前記ハーネスを挿通配置する挿通部と、前記シートパッド材の背面から挿通部に連通し、前記ハーネスの外径よりも狭い断面としたスリット部とを有してなる請求項２記載のシート装置。
【請求項４】
前記窪み部を、カバー部材によりシートパッド材の背面側から覆った請求項２または請求項３記載のシート装置。
【請求項５】
前記配置部が、前記シートパッド材の背面に一体成形された補強布と、該補強布にその対向２辺の縫合されたカバー部材との間に規定、形成された略トンネル部である請求項１記載のシート装置。
【発明の詳細な説明】
【技術分野】
【０００１】
本発明は、空調自動車用シートなどのシートの表面の状態を検出するセンサーを配置したシート装置に関する。
【背景技術】
【０００２】
空調シートなどにおいて、シートの発泡体製パッド材であるシートパッド材の表面に温度センサーや湿度センサーなどを配置し、着座している乗員の状態を検知するものが知られている(例えば特開平１０−２１５９７９号公報)。
【０００３】
これは、シート表面の状態を検出し、その温度(湿度)に基づいて冷房装置や暖房装置を制御するので、シート内や送風する空気の温度からシート表面温度を推定する場合などと比べ直接的に温度を検出できるので、検出精度が高く、高い空調の快適さを得ることができる。
【０００４】
【特許文献１】特開平１０−２１５９７９号公報
【発明の開示】
【発明が解決しようとする課題】
【０００５】
しかしながら、そのセンサーに接続されたハーネスなどはシートパッド材の背面側から抜き出して制御装置などに接続されるが、シートパッド材の背面には制御装置やアクティブヘッドレストのプレートなどがあり、シートを可動したり、プレートが作動したような場合にはハーネスが損傷してしまう。また、ハーネスが移動する(引っ張られる)と、シート表面からセンサーが引っ張られたり、センサーの位置がずれたりするため、精度の高い空調制御が難しい。
【０００６】
そこで本発明は、シートパッド材の背面側から抜き出すハーネスの損傷を防止し、シートの所定位置に位置決めしたセンサーを移動させることがないハーネスの配置構造を提供することを目的とする。
【課題を解決するための手段】
【０００７】
以上の目的を達成するための本発明に係るシート装置は、シートパッド材の表面にシート表面の状態を検出するセンサーを配置してそのセンサーに接続するハーネスを、シートパッド材の、プレートで被われた背面側に通すシート装置において、
前記シートパッド材には、前記プレートで被われた位置に設けられて前記シートパッド材の表面側から背面側に貫通する貫通孔と、この貫通孔に連続し前記プレートで被われた位置でシートパッド材の背面に沿ってハーネスを保持可能とする前記シートパッド材の背面に設けられた配置部とを有し、前記センサーに接続されたハーネスを、前記貫通孔から、前記プレートに接触させることなく前記配置部によって保持したことを特徴とする構成である。
【０００８】
前記配置部は、前記貫通孔と連続し前記シートパッド材の背面に沿って設けた窪み部である構成である。
【０００９】
また、前記窪み部は、前記ハーネスを挿通配置する挿通部と、前記シートパッド材の背面から該挿通部に連通し、前記ハーネスの外径よりも狭い断面としたスリット部とを有してなるようにしても良い。
【００１０】
更に、前記窪み部は、カバー部材によりシートパッド材の背面側から覆った構成にするようにするも任意である。
【００１１】
加えて、前記配置部は、該シートパッド材の背面に一体成形された補強布と、該補強布にその対向２辺の縫合されたカバー部材との間に規定、形成された略トンネル部である構成にするのが好ましい。
【発明の効果】
【００１２】
本発明によれば、シートパッド材の背面側から抜き出すハーネスは、シートパッド材の背面側に設けた配置部に保持され、固定される。従って、ハーネスがシートの可動などによってシートパッド材の背面などに、こすれたりすることがないので、ハーネスの損傷を防止することができるし、ハーネスの配置部からの引き出し口が一定になり、ハーネスのコネクターの接続作業が行いやすくなる。
【００１３】
また、例えば、シートパット材の背面側にプレートなどハーネスが接触する部材が存在してもそれらの部材にハーネスが接触し損傷することがない、更に、それらの部材の可動によってハーネスが引っ張られたりしないので、センサー位置がずれたりせずセンサーの検出精度も損なわれない。
【発明を実施するための最良の形態】
【００１４】
以下、本発明の実施例を図面に基づいて説明する。
図１は本発明に係る装置を有する自動車用シートのシートバックＳＢを示し、このシートバックＳＢの背裏はバックボード、トリムカバーなどの被覆材９０で被覆されている。
【００１５】
そして、このシートバックＳＢの背裏側内部には制御装置やアクティブヘッドレストなどの装置が設けてあり、この装置は硬質合成樹脂からなるスクラムプレートなどのプレート９で被われている。
【００１６】
このプレート９の下部内には、図２に示すセンサー４に接続するハーネス７が、シートバックＳＢを構成する発泡体製シートパッド材３の背面に沿って保持されている。
【００１７】
このハーネス７はシートパッド材３の背面に沿って保持可能とする配置部１内に設けてあり、配置部１にはシートパッド材３の表面側から背面側に貫通する貫通孔２が連続するように設けてあり、シートパッド材３の表面に設けたセンサー４に接続するハーネス７は貫通孔２から配置部１に沿って配置されることにより保持されている。
【００１８】
なお、センサー４はシートバックＳＢの表面の温度、湿度を検出する従来周知のものである。図２において、図中８は従来の空調シートに使用されている通気性を有するトリムカバー、８０は通気孔、５はシートパッド材３の背面に一体に設けた粗毛布、不織布、プレスフェルトなどの補強布を各々示す。
【００１９】
以上の配置部１は、図1、図2に示すように、シートパッド材3のプレートで覆われた位置に設けてある。そして、配置部１はシートパッド材3をモールド成形する際に前記貫通孔２と共に同時に発泡成形した溝状の窪み部であり、この窪み部内にハーネス７を収容してハーネスがプレートに接触しないように保持している。
【００２０】
図３に示す配置部は、ハーネス７の外径より広い開口を有する断面Ｕ字状溝からなる窪み部１で形成し、その内部にハーネス７を収容して保持し、ハーネス７がプレート９に接触しないようにしている。
【００２１】
この窪み部１の一部に図４に示すように、開口がハーネス７の外径より狭い断面としたスリット部１１を設けるように、或いは窪み部１の全体をスリット部１１にして、配置部内に配置したハーネス７を保持するようにしても良い。
【００２２】
配置部１内に収容して配置したハーネス７を保持するために、図５に示すように、布製の覆片６を接着などして配置部１の開口部を塞ぐようにしても良い。
【００２３】
以上の配置部１は補強布５、シートパッド材３をシートパッド材３の発泡前又は発泡後において、補強布５、シートパッド材３の一部(シートパッド材３においては発泡後)を切穿して成形している。
【００２４】
しかし、図６、図７に示すように、補強布５、シートパッド材３を切穿せずに、配置部１２、１３を形成するようにしても良い。
【００２５】
図６に示す配置部１２は、補強布５にシートパッド材３を一体発泡して成形する際に、Ｕ字状の溝からなる窪み部をモールド成形し、その窪み部をシートパッド材３の背面側から布製のカバー部材６で覆ったものであり、カバー部材６は補強布５に縫糸６０、６０で縫着などの方法で固定されている。
【００２６】
図７に示す配置部１３は、従来と同様に補強布５にシートパッド材３を一体発泡した後、補強布５にその対向２辺の縫合６１、６１されたカバー部材６との間に規定、形成された略トンネル部より形成されている。
【００２７】
なお、以上の配置部１２、１３はいずれもシートパッド材３の表面側から背面側に一体に有する補強布５に貫通する貫通孔(不図示)に連続して形成されている。
【００２８】
図６、図７に示すように、配置部１２、１３を補強布５の外側に設けることにより、シートパッド材３の破損などを防止できる。
【図面の簡単な説明】
【００２９】
【図１】本発明に係る装置を有するシートバックの部分切欠斜視図。
【図２】図１の11―11線断面図。
【図３】配置部の断面図。
【図４】配置部の第２実施例の断面図。
【図５】配置部の第３実施例の断面図。
【図６】配置部の第４実施例の断面図。
【図７】配置部の第５実施例の断面図。
【符号の説明】
【００３０】
１…配置部、１１…配置部、１２…配置部、１３…配置部、２…貫通孔、３…シートパッド材、４…センサー、５…補強布、６…カバー部材、７…ハーネス、８…トリムカバー、
【図１】
0004934615.tif 000002
【図２】
0004934615.tif 000003
【図３】
0004934615.tif 000004
【図４】
0004934615.tif 000005
【図５】
0004934615.tif 000006
【図６】
0004934615.tif 000007
【図７】
0004934615.tif 000008